(57)【要約】【課題】作業場所が狭い場合であっても、分割することなく燃焼装置の取り外し、取り付けを行うことができる小型吸収冷温水機の燃焼装置吊持装置の提供。【解決手段】ドレンポッド９と継電器支持具１０との間に配設された吊り棒１５と、ドレンポッド９に取り付けられ、吊り棒１５の一端が選択的に挿入可能な複数の通し穴１２が形成され、吊り棒１５の一端を支持固定する第１固定金具１１と、継電器支持具１０に取り付けられ、吊り棒１５の他端が挿入される長穴１４が水平方向に沿って形成され、吊り棒１５の他端を支持固定する第２固定金具１３と、燃焼装置８の重心位置上に配置され、この燃焼装置８に取り付けられる燃焼装置固定金具１７と、燃焼装置固定金具１７を垂直方向に変位可能に保持し、燃焼装置固定金具１７を介して燃焼装置８を吊り棒１５に沿って移動可能に、及び回転自在に吊持する吊り下げ金具１６とを備えた構成にしてある。【選択図】図３
2011226696.tif 000002
【特許請求の範囲】
【請求項１】
吸収器と、蒸発器と、熱交換器と、低温再生器と、燃焼装置を含む高温再生器と、凝縮器と、溶液循環ポンプと、これらの各機器を接続する配管とを備えた小型吸収冷温水機の燃焼装置吊持装置において、
それぞれ前記小型吸収冷温水機内に配置され、
前記低温再生器に設けられたドレンポッドと前記低温再生器に設けられた継電器支持具との間に配設され、水平方向に沿って延設される吊り棒と、
前記ドレンポッドに着脱可能に取り付けられ、前記吊り棒の一端が選択的に挿入可能な複数の通し穴が水平方向に沿って形成され、前記吊り棒の前記一端を支持固定する第１固定金具と、
前記継電器支持具に着脱可能に取り付けられ、前記吊り棒の他端が挿入される長穴が水平方向に沿って形成され、前記吊り棒の前記他端を支持固定する第２固定金具と、
前記燃焼装置の重心位置上に配置され、この燃焼装置に取り付けられる燃焼装置固定金具と、
前記燃焼装置固定金具を垂直方向に変位可能に保持し、前記燃焼装置固定金具を介して前記燃焼装置を前記吊り棒に沿って移動可能に、及び前記吊り棒に回転自在に吊持する吊り下げ金具とを備えたことを特徴とする小型吸収冷温水機の燃焼装置吊持装置。
【発明の詳細な説明】
【技術分野】
【０００１】
本発明は、小型吸収冷温水機に備えられる高温再生器に含まれる燃焼装置の内部部品の交換に際して行なわれる燃焼装置の取り外し、取り付け時に活用される小型吸収冷温水機の燃焼装置吊持装置に関する。
【背景技術】
【０００２】
吸収冷温水機においては、一般に、吸収剤として例えば臭化リチウムを用い、冷媒として例えば水を用いている。また、吸収冷温水機は、吸収器、凝縮器、低温再生器、高温再生器、溶液循環ポンプ等の各機器、及びこれらの各機器を接続する配管等を備えている。これらの中で、高温再生器に含まれる燃焼装置は、部品交換に際して取り外し、及び取り付け作業が必要になるが、燃焼装置は重量物であるためにこの取り外し、取り付け作業が容易でない。
【０００３】
従って従来では、燃焼装置を複数に分割して、取り外し、取り付け作業が行われている。この種の従来技術として特許文献１に示されるものが知られている。この特許文献１には、吸収冷凍機・冷温水機の高温再生器の組立方法の一例として、各構成要素部分をブロック化し分割した小ブロック群を製作し、これらの小ブロック群を組み合わせ、接合して高温再生器集合体とする組立方法が開示されている。
【先行技術文献】
【特許文献】
【０００４】
【特許文献１】特開２０００−２０５６９８号公報
【発明の概要】
【発明が解決しようとする課題】
【０００５】
しかし一般に、小型吸収冷温水機にあっては作業空間が狭く高温再生器に含まれる燃焼装置の部品交換に際して、特許文献１に示されるように燃焼装置を複数に分割して取り外し、取り付けようとすると、作業者に多大の負担をかけやすく作業能率の向上を見込み難い。また、運搬に際しても分割された多くの部品を運ぶことになるので、運搬作業が煩雑になりやすい。
【０００６】
本発明は、前述した従来技術における実状からなされたもので、その目的は、作業場所が狭い場合であっても、分割することなく燃焼装置の取り外し、取り付けを行うことができる小型吸収冷温水機の燃焼装置吊持装置を提供することにある。
【課題を解決するための手段】
【０００７】
上記目的を達成するために、本発明は、吸収器と、蒸発器と、熱交換器と、低温再生器と、燃焼装置を含む高温再生器と、凝縮器と、溶液循環ポンプと、これらの各機器を接続する配管とを備えた小型吸収冷温水機の燃焼装置吊持装置において、それぞれ前記小型吸収冷温水機内に配置され、前記低温再生器に設けられたドレンポッドと前記低温再生器に設けられた継電器支持具との間に配設され、水平方向に沿って延設される吊り棒と、前記ドレンポッドに着脱可能に取り付けられ、前記吊り棒の一端が選択的に挿入可能な複数の通し穴が水平方向に沿って形成され、前記吊り棒の前記一端を支持固定する第１固定金具と、前記継電器支持具に着脱可能に取り付けられ、前記吊り棒の他端が挿入される長穴が水平方向に沿って形成され、前記吊り棒の前記他端を支持固定する第２固定金具と、前記燃焼装置の重心位置上に配置され、この燃焼装置に取り付けられる燃焼装置固定金具と、前記燃焼装置固定金具を垂直方向に変位可能に保持し、前記燃焼装置固定金具を介して前記燃焼装置を前記吊り棒に沿って移動可能に、及び前記吊り棒に回転自在に吊持する吊り下げ金具とを備えたことを特徴としている。
【０００８】
このように構成した本発明は、燃焼装置の取り外しに際しては、ドレンポッドに固定した第１固定金具の複数の通し穴のうちの１つに、吊り棒の一端を位置調整しながら挿入して支持固定させ、継電器支持具に固定した第２固定金具の長穴に、吊り棒の他端を位置調整しながら挿入して支持固定させることにより、吊り棒を燃焼装置の重心位置上に設けた燃焼装置固定金具の直上に配置することができる。この状態で吊り下げ金具によって燃焼装置を保持させ、吊り下げ金具を吊り棒に取り付けることにより、吊り下げ金具を介して燃焼装置を吊り棒の延設方向に沿って移動させることができ、吊り下げ金具を介して燃焼装置を回転させることができる。また、吊り下げ金具を操作して燃焼装置固定金具を垂直方向に適宜変位させることにより、燃焼装置の高さ位置を調整することができる。従ってこれらの燃焼装置の移動、回転、及び高さ位置の調整によって、作業空間が狭い場合であっても、バランスを保ちながら燃焼装置を安全に、また容易に取り外すことができる。燃焼装置の取り付けは、逆の手順によって行うことができる。すなわち、本発明は、作業場所が狭い場合であっても、分割することなく燃焼装置の取り外し、取り付けを行うことができ、この燃焼装置の取り外し、取り付けを行う作業者の負担を軽減させることができる。また、一構造物としての運搬が可能になり、取り外し後の運搬作業、及び取り付けのための運搬作業が容易となる。
【発明の効果】
【０００９】
本発明によれば、燃焼装置の取り外し、取り付けに際し、燃焼装置の重心位置上に配置される吊り下げ金具及び吊り棒を介して、燃焼装置を吊り棒の延設方向に沿う水平方向の移動可能に、回転可能に、及び高さ位置調整可能に保持できるので、バランスを保ちながら安全かつ容易に燃焼装置の取り外し、取り付けを行うことができる。すなわち、作業場所が狭い場合であっても、分割することなく燃焼装置の取り外し、取り付けを行うことができ、この燃焼装置の取り外し、取り付けを行う作業者の負担を従来よりも軽減させることができ、従来に比べて燃焼装置の取り外し、取り付け作業の能率を向上させることができる。また、燃焼装置の分割を要しないので、この燃焼装置を一構造物として運搬することが可能になり、取り外し後の運搬作業、及び取り付けのための運搬作業が容易となり、従来に比べてこの燃焼装置の運搬作業の能率を向上させることができる。
【図面の簡単な説明】
【００１０】
【図１】本発明に係る燃焼装置吊持装置の一実施形態が設置される小型吸収冷温水機を示す正面図である。
【図２】本発明に係る燃焼装置吊持装置の一実施形態が設置される小型吸収冷温水機を示す側面図である。
【図３】燃焼装置の取り外しに際して、本実施形態に係る燃焼装置吊持装置によって燃焼装置を吊り下げた状態を示す拡大斜視図である。
【図４】燃焼装置の取り外しに際して、本実施形態に係る燃焼装置吊持装置を介して燃焼装置を回転させた状態を示す拡大斜視図である。
【発明を実施するための形態】
【００１１】
以下、本発明に係る小型吸収冷温水機の燃焼装置吊持装置の実施の形態を図に基づいて説明する。
【００１２】
図１，２は本発明に係る燃焼装置吊持装置の一実施形態が設置される小型吸収冷温水機を示す図で、図１は正面図、図２は側面図である。
【００１３】
これらの図１，２に示すように、小型吸収冷温水機１９は、吸収器１、蒸発器２、凝縮器３、低温再生器４、高温再生器５、熱交換器６、溶液循環ポンプ７等の各機器と、これらの各機器を接続する配管等を備えている。前述した吸収器１は、図１の正面図において凝縮器３の背面に配置されている。高温再生器５には本実施形態の吊持対象である燃焼装置８が含まれている。低温再生器４にはドレンポット９と継電器支持具１０とが設けられている。なお、小型吸収冷温水機１９内における燃焼装置８の取り外し、取り付けのための作業場所２０は、作業者２１がしゃがみ込むことでようやく作業ができる程度の狭い空間となっている。
【００１４】
図３は燃焼装置の取り外しに際して、本実施形態に係る燃焼装置吊持装置によって燃焼装置を吊り下げた状態を示す拡大斜視図、図４は燃焼装置の取り外しに際して、本実施形態に係る燃焼装置吊持装置を介して燃焼装置を回転させた状態を示す拡大斜視図である。
【００１５】
これらの図３，４に示すように、本実施形態に係る燃焼装置吊持装置は、それぞれ小型吸収冷温水機１９内に配置され、低温再生器４に設けられたドレンポッド９と低温再生器４に設けられた継電器支持具１０との間に配設され、水平方向に沿って延設される吊り棒１５と、ドレンポッド９に着脱可能に取り付けられ、吊り棒１５の一端が選択的に挿入可能な複数の通し穴１２が水平方向に沿って形成され、吊り棒１５の一端を支持固定する第１固定金具１１と、継電器支持具１０に着脱可能に取り付けられ、吊り棒１５の他端が挿入される長穴１４が水平方向に沿って形成され、吊り棒１５の他端を支持固定する第２固定金具とを備えている。例えば、第１固定金具１１と第２固定金具１３とは、鉛直方向において略同じ高さ位置に配置してある。
【００１６】
また、本実施形態は、燃焼装置８の重心位置上に配置され、この燃焼装置８に取り付けられる燃焼装置固定金具１７と、この燃焼装置固定金具１７を垂直方向に変位可能に保持し、燃焼装置固定金具１７を介して燃焼装置８を１５吊り棒１５に沿って移動可能に、及び吊り棒１５に回転自在に吊持する吊り下げ金具１６とを備えている。吊り下げ金具１６は、例えば燃焼装置固定金具１７に形成したねじ部に螺合するＩボルトから成る高さ位置調整機構１８を含んでいる。また、吊り下げ金具１６における高さ位置調整機構１８の上側部分は、例えばシャックルから成る回転保持機構によって形成されている。
【００１７】
このように構成した本実施形態に係る燃焼装置吊持装置を用いて、例えば燃焼装置８の取り外しを行うに際しては、ドレンポッド９に固定した第１固定金具１１の複数の通し穴１２のうちの１つに、吊り棒１５の一端を位置調整しながら挿入して支持固定させ、継電器支持具１０に固定した第２固定金具１３の長穴１４に、吊り棒１５の他端を位置調整しながら挿入して支持固定させることにより、吊り棒１５を燃焼装置８の重心位置上に設けた燃焼装置固定金具１７の直上に配置することができる。
【００１８】
この状態で吊り下げ金具１６によって燃焼装置８を保持させ、吊り下げ金具１６を吊り棒１５に取り付けることにより、吊り下げ金具１６を介して燃焼装置８を吊り棒１５の延設方向に沿って移動させることができ、吊り下げ金具１６を介して燃焼装置８を図４に示すように回転させることができる。また、吊り下げ金具１６を操作して燃焼装置固定金具１７を垂直方向に適宜変位させることにより、燃焼装置８の高さ位置を調整することができる。従って、小型吸収冷温水機１９の狭い作業場所２０に入り込んだ作業者２１は、本実施形態によって燃焼装置８を吊持させた状態において、燃焼装置８を水平方向に移動させ、適宜回転させ、また高さ位置を調整することによって、この燃焼装置８を小型吸収冷温水機１９から取り外すことができる。取り外された燃焼装置８は、内部部品の交換が行なわれる。内部部品を新しいものに交換した燃焼装置８の小型吸収冷温水機１９への取り付けは、前述と逆の手順によって行われる。
【００１９】
本実施形態によれば、燃焼装置８の取り外し、取り付けに際し、燃焼装置８の重心位置上に配置される吊り下げ金具１６及び吊り棒１５を介して、燃焼装置８を吊り棒１５の延設方向に沿う水平方向の移動可能に、回転可能に、及び高さ位置調整可能に保持できるので、バランスを保ちながら安全かつ容易に燃焼装置８の取り外し、取り付けを行うことができる。すなわち、作業場所２０が狭い場合であっても、分割することなく燃焼装置８の取り外し、取り付けを行うことができ、この燃焼装置８の取り外し、取り付けを行う作業者２１の負担を軽減させることができ、燃焼装置８の取り外し、取り付け作業の能率を向上させることができる。また、燃焼装置８の分割を要しないので、この燃焼装置８を一構造物として運搬することが可能になり、取り外し後の運搬作業、及び取り付けのための運搬作業が容易となり、燃焼装置８の運搬作業の能率を向上させることができる。
【符号の説明】
【００２０】
１    吸収器
２    蒸発器
３    凝縮器
４    低温再生器
５    高温再生器
６    熱交換器
７    溶液循環ポンプ
８    燃焼装置
９    ドレンポッド
１０    継電器支持具
１１    第１固定金具
１２    通し穴
１３    第２固定金具
１４    長穴
１５    吊り棒
１６    吊り下げ金具
１７    燃焼装置固定金具
１８    高さ位置調整機構
１９    小型吸収冷温水機
２０    作業場所
２１    作業者
【図１】
2011226696.tif 000003
【図２】
2011226696.tif 000004
【図３】
2011226696.tif 000005
【図４】
2011226696.tif 000006